(57)【要約】【課題】２剤を別容器にそれぞれ収容しつつ、用時混合のために各容器の接続がなされるまでは特に液剤用容器の口の密封状態を維持できるようにすることで、薬液等を零すことなく用時混合作業を確実に行うことができる用時混合容器セットを提供する。【解決手段】バイアル１の口部４に離脱可能にゴム栓５を設けるとともに、液剤容器２の口部２２にキャップ３０を装着する。このキャップ３０は、口部２２に液密状に装着される第１構成体３１と、該第１構成体３１に液密状に嵌合するとともに口部４に液密状に接続可能な接続口部３２ａを有する第２構成体３２とを備え、第２構成体３２は、液剤容器２の内部空間を外気から密封する第１位置から、該第１位置よりも軸方向内方の第２位置に向けて相対的に移動可能であり、第２位置のとき、接続口部３２ａに接続されたバイアル１と液剤容器２の内部空間同士が連通されるようにする。【選択図】　図１
2004018019.tif 000002
【特許請求の範囲】
【請求項１】
第１の口部を有する第１容器と、該第１容器の内部空間を外気から密封するように第１の口部に離脱可能に装着される栓体と、第２の口部を有する第２容器と、該第２容器の第２の口部に装着されるキャップとを備え、
前記キャップは、第２の口部に液密状に装着される第１キャップ構成体と、該第１キャップ構成体に液密状に嵌合するとともに第１の口部に液密状に接続可能な接続口部を有する第２キャップ構成体とを備え、
該第２キャップ構成体は、第１及び第２キャップ構成体により第２容器の内部空間を外気から密封する第１位置から、該第１位置よりも第２容器の軸方向内方に位置する第２位置に向けて第１キャップ構成体に対して相対的に移動可能であり、
第２キャップ構成体が第２位置にあるとき、第２キャップ構成体の接続口部に接続された第１容器の内部空間と第２容器の内部空間とを連通させる連通路が前記キャップ内に形成されることを特徴とする用時混合容器セット。
【請求項２】
請求項１記載の用時混合容器セットにおいて、第１キャップ構成体は、第２キャップ構成体が第１位置にあるときは第２の口部に離脱不能に係合するとともに、第２キャップ構成体が第２位置にあるときは第２の口部に対する前記係合が解除されることを特徴とする用時混合容器セット。
【請求項３】
請求項１記載の用時混合容器セットにおいて、第１キャップ構成体は、第２の口部に対する軸方向移動を阻止するように第２の口部に係脱自在に係合する係止部を備え、第２キャップ構成体は、その第１位置にあるときに前記係止部が第２の口部に係合するように係止部を強制的に押さえ付けるロック部と、その第２位置にあるときに前記係合を解除させる方向に前記係止部を移動させるように該係止部に係合する解除部とを備えていることを特徴とする用時混合容器セット。
【請求項４】
請求項１，２又は３に記載の用時混合容器セットにおいて、第１キャップ構成体は、第２口部の軸方向外方に向けて突出する内筒部と、該内筒部の先端に固定されたプラグとを備え、該プラグの外径は第１の口部の内径よりも小径であり、該プラグと内筒部との間には開口部が設けられており、前記接続口部は第１の口部に内嵌されるものであり、前記内筒部は前記接続口部に内嵌され、前記第２キャップ構成体が第１位置にあるとき前記接続口部の先端部に前記プラグが液密状に内嵌されて前記連通路が閉じられ、第２キャップ構成体が第２位置にあるとき前記プラグは接続口部から離脱されて前記連通路が形成されることを特徴とする用時混合容器セット。
【請求項５】
請求項４記載の用時混合容器セットにおいて、前記プラグは内筒部とは別体に成形され、該プラグが内筒部に軸方向先端側から取付固定され、該プラグの外周縁が第２キャップ構成体の接続口部の先端面に係合していることを特徴とする用時混合容器セット。
【請求項６】
請求項４記載の用時混合容器セットにおいて、前記プラグと内筒部とが一体成形され、プラグと内筒部とは周方向に離間して複数設けられた接続リブを介して一体的に接続され、複数の接続リブの間が前記開口部とされることを特徴とする用時混合容器セット。
【請求項７】
請求項１乃至６のいずれか１項に記載の用時混合容器セットにおいて、第２キャップ構成体が第１位置から第２位置へ移動することを規制するように第２キャップ構成体に当接するストッパーが取り外し可能に設けられていることを特徴とする用時混合容器セット。
【請求項８】
請求項１乃至７のいずれか１項に記載の用時混合容器セットにおいて、第２キャップ構成体の接続口部は第１の口部に内嵌されるものであり、第２キャップ構成体は、接続口部の径方向外方に位置しかつ軸方向先端側に向けて延設された係止片をさらに備え、第１の口部には径方向外方に突出するフランジ部が設けられ、前記係止片は、接続口部を第１の口部に内嵌したときにフランジ部の基端側周縁に軸方向に係合することを特徴とする用時混合容器セット。
【請求項９】
請求項１記載の用時混合容器セットにおいて、
第１キャップ構成体は、第２の口部の外周側に装着される第１筒部と、該第１筒部に連設された第２筒部とを備え、該第２筒部の内径は第２の口部の内径よりも小さくなされており、
第２キャップ構成体は第２筒部の基端部に内嵌されるプラグを備え、該プラグは、前記第２キャップ構成体が第１位置にあるとき前記プラグにより前記連通路を閉塞し、かつ、第２キャップ構成体が第２位置にあるとき前記連通路を形成するように構成されていることを特徴とする用時混合容器セット。
【請求項１０】
請求項９記載の用時混合容器セットにおいて、第１キャップ構成体は、第２筒部の先端側に連設された第３筒部をさらに備え、第２キャップ構成体の接続口部は第１の口部に内嵌されるものであり、第２キャップ構成体は、接続口部の基端部から径方向外方に向けて形成されたフランジ部をさらに備え、該フランジ部は前記第３筒部に内嵌され、第３筒部の内周面には、第２キャップ構成体が第１位置から第２位置へ移動することを防止するように前記フランジ部に軸方向に係合する係合凸部が設けられるとともに、第３筒部は、係合凸部とフランジ部との前記係合が解除されるように径方向外方へ弾性変形可能であることを特徴とする用時混合容器セット。
【発明の詳細な説明】
【０００１】
【発明の属する技術分野】
本発明は、凍結乾燥された固形薬剤と溶媒乃至分散媒とを分離して収容可能であり、用時に両者を混合して使用するための用時混合容器セットに関する。
【０００２】
【従来の技術】
この種従来の用時混合容器として、本願出願人は、従来より特開２００１−２９４７１号公報や特開平８−２８０８０７号公報等に開示したものを開発している。これら従来の用時混合容器は、単一の容器内に、互いに分離された固体成分収容部と液体成分収容部とを設けておき、用時にこれら収容部を互いに連通させて固体成分を液体成分に溶解乃至分散させて、かかる薬液を噴霧し得るように構成している。
【０００３】
【発明が解決しようとする課題】
上記従来のタイプの用時混合容器では、充填工場等で無菌状態で容器内に固体成分並びに液体成分を充填・密封し、無菌状態を維持したまま保管・輸送を行い、用時の混合作業においても容器内部が外気に曝されないため、極めて衛生的な取扱いを行い得るものでありながら、使用直前に溶解を行うことで薬効の低下を防止し得るものである。
【０００４】
しかし、用時混合前に２剤（すなわち、固体成分と液体成分）を分離収容する収容部を容器内にそれぞれ設けており、混合後においても不要となった収容部を一体に備えるものであるため、使用時の容器全高が大きく、収納性や取扱い性を犠牲にするという問題がある。さらに、用途や薬剤の性質等によっては、用時混合作業時に固体成分や液体成分が多少外気に曝されても問題はない場合もある。かかる場合においては、製造設備の新設や充填工場における充填工程の効率低下の要因ともなり得る上記従来の用時混合容器を用いる必要はない。このような場合において、従来、バイアル瓶と、これとは別体の溶媒用容器と、スプレー容器との３つをセット販売し、用時にバイアル瓶内の固体成分を溶媒用容器内の液体成分に混合溶解させ、この混合液剤をスプレー容器内に充填して使用することも行われている。しかしながら、３つの容器を梱包してセット販売すると、梱包材が大きくなり、保管コストや搬送コストが高くなるとともに、混合後にバイアル瓶と溶媒用容器の２つの容器が不要となって、廃棄量が増加し、環境にも好ましいものではない。
【０００５】
さらに、溶媒用容器とバイアル瓶との間で薬液を移し替える際に、注意していても薬液等が容器外に零れてしまい、２剤の混合比率を正確にすることが困難であるとともに、零れた薬液が容器外面に付着するとその付着部分に細菌類が繁殖する可能性があり、衛生面においても問題である。
【０００６】
そこで、本願発明は、２剤を別容器にそれぞれ収容しつつ、用時混合のために各容器の接続がなされるまでは特に液剤用容器の口の密封状態を維持できるようにすることで、薬液等を零すことなく用時混合作業を確実に行うことができる用時混合容器セットを提供することを目的とする。
【０００７】
【課題を解決するための手段】
本発明は、上記目的を達成するために、次の技術的手段を講じた。
【０００８】
すなわち、本発明の用時混合容器セットは、第１の口部を有する第１容器と、該第１容器の内部空間を外気から密封するように第１の口部に離脱可能に装着される栓体と、第２の口部を有する第２容器と、該第２容器の第２の口部に装着されるキャップとを備えることができる。このように、第１容器と第２容器とを別体に設け、それぞれの口部を栓体或いはキャップによって密封することにより、凍結乾燥製剤やその溶媒等となる液体成分を従来と同様の充填設備や工程によってそれぞれ無菌充填することができる。なお、第１容器は好ましくはバイアル瓶により構成することができ、第２容器は、液体成分を収容するのに適した水蒸気バリアー性などを備えたブロー成形樹脂ボトルにより構成することができる。各容器は、有底筒状の胴部を口部に一体に備えることができ、この胴部の内部空間を内容物の収容空間として利用できる。第１容器の口部を密封する栓体は、ブチルゴムなどからなるゴム栓とするのが好ましい。該栓体による密封をより確実にするために、アルミ箔を栓体の上から包装したり、栓体を覆い且つ保持するようにさらに第１容器の口部にキャップを装着することもできる。
【０００９】
前記キャップは、第２の口部に液密状に装着される第１キャップ構成体と、第１の口部に液密状に接続可能な接続口部を有するとともに第１キャップ構成体に液密状に嵌合する第２キャップ構成体とを備えることができる。この第２キャップ構成体は、第１及び第２キャップ構成体により第２容器の内部空間を外気から密封する第１位置から、該第１位置よりも第２容器の軸方向内方に位置する第２位置に向けて第１キャップ構成体に対して相対的に移動可能であってよい。また、第２キャップ構成体が第２位置にあるとき、第２キャップ構成体の接続口部に接続された第１容器の内部空間と第２容器の内部空間とを連通させる連通路が前記キャップ内に形成されるものとすることができる。なお、前記接続口部は、第２キャップ構成体が第１位置にあるときに第１容器の口部に接続し得るように構成できる。また、各キャップ構成体はそれぞれ筒状に構成することができ、上記連通路はこれらキャップ構成体の内部空間によって主構成することができる。
【００１０】
かかる本発明の用時混合容器セットによれば、流通時や保管時には、第１容器内に例えば凍結乾燥製剤などの固体成分を無菌状態で収容しておき、第２容器には固体成分の溶媒乃至分散媒となる液体成分を無菌状態で収容しておくことができる。そして、これら固体成分と液体成分とを患者自身或いは付添人などが用時に混合するには、まず、第１容器の口部から栓体を取り外し、この上向きに開口された第１の口部に、上下反転させた第２容器の第２キャップ構成体の接続口部を接続する。このとき、第２キャップ構成体はまだ第１位置にあり、第２の口部は密封された状態を維持しているので、第２容器内の液体成分が零れることはない。次に、接続口部を第１の口部に接続した第２容器を第１容器側に向けて押し込むと、第１容器に押されることにより第２キャップ構成体が第１位置から第２位置へと移動してキャップ内に上記連通路が形成され、この連通路を通って第２容器内の液体成分を零すことなく第１容器内に移し替えることができる。そして、十分に混合（溶解乃至分散）を行った後、第１容器と第２容器とを接続したまま第２容器を成立させると、上下反転された第１容器内から混合液剤が連通路を通ってすべて第２容器内に移し替えられる。そして第２容器の口部から第１容器並びにキャップを取り外し、この第２の口部に点眼ノズルやポンプスプレー装置などの吐出装置を装着することにより、第２容器を混合液剤の吐出容器として使用することが可能となる。
【００１１】
上記本発明の用時混合容器セットにおいて、第１キャップ構成体は、第２キャップ構成体が第１位置にあるときは第２の口部に離脱不能に係合するとともに、第２キャップ構成体が第２位置にあるときは第２の口部に対する前記係合が解除されるものであってよい。かかる構成によれば、上記した用時混合操作によって第２キャップ構成体が第１位置から第２位置へ移動されない限り、第１キャップ構成体を第２の口部から取り外すことができないので、不用意に第２容器からキャップが取り外されることを防止することができ、混合操作の確実性を担保することができる。
【００１２】
また、第１キャップ構成体は、第２の口部に対する軸方向移動を阻止するように第２の口部に係脱自在に係合する係止部を備え、第２キャップ構成体は、その第１位置にあるときに前記係止部が第２の口部に係合するように係止部を強制的に押さえ付けるロック部と、その第２位置にあるときに前記係合を解除させる方向に前記係止部を移動させるように該係止部に係合する解除部とを備えることができる。これによれば、上記した用時混合操作によって第２キャップ構成体が第１位置から第２位置へ移動されない限り、第１キャップ構成体を第２の口部から取り外すことができないので、不用意に第２容器からキャップが取り外されることを防止することができ、混合操作の確実性を担保することができる。さらに、第２キャップ構成体が第２位置へ移動したときには、解除部が係止部に係合することによって確実に係止部と第２の口部との係合を解除させることができ、混合作業後は容易かつ確実にキャップを第２容器から取り外せるようになる。
【００１３】
また、上記第１キャップ構成体は、第２口部の軸方向外方に向けて突出する内筒部と、該内筒部の先端に固定されたプラグとを備え、該プラグの外径は第１の口部の内径よりも小径であり、該プラグと内筒部との間には開口部が設けられており、前記接続口部は第１の口部に内嵌されるものであり、前記内筒部は前記接続口部に内嵌され、前記第２キャップ構成体が第１位置にあるとき前記接続口部の先端部に前記プラグが液密状に内嵌されて前記連通路が閉じられ、第２キャップ構成体が第２位置にあるとき前記プラグは接続口部から離脱されて前記連通路が形成されるように構成することができる。
【００１４】
さらに、前記プラグを内筒部とは別体に成形し、該プラグを内筒部に軸方向先端側から取付固定し、該プラグの外周縁を第２キャップ構成体の接続口部の先端面に係合させることができる。これによれば、第２キャップ構成体が第１キャップ構成体から離脱することをプラグによって阻止することができ、さらに、構造の簡素化と組立性の向上とを図ることができる。
【００１５】
また、前記プラグと内筒部とを一体成形し、プラグと内筒部とを周方向に離間して複数設けられた接続リブを介して一体的に接続し、複数の接続リブの間を前記開口部とすることもできる。これによれば、さらなる構成部品点数の削減を図ることができ、一層のコスト低減を図ることができる。
【００１６】
さらに、本発明の用時混合容器セットは、第２キャップ構成体が第１位置から第２位置へ移動することを規制するように第２キャップ構成体に当接するストッパーが取り外し可能に設けられていてもよい。これによれば、不慮に第２キャップ構成体が第２位置へ移動して第２容器の口部が開口され、液体成分が大気に曝されることを防止できる。なお、ストッパーは、第２容器の胴部外周に着脱自在に取り付けてもよく、第１キャップ構成体の外周に着脱自在に取り付けてもよい。
【００１７】
また、第２キャップ構成体の接続口部は第１の口部に内嵌されるものであり、第２キャップ構成体は、接続口部の径方向外方に位置しかつ軸方向先端側に向けて延設された係止片をさらに備え、第１の口部には径方向外方に突出するフランジ部が設けられ、前記係止片は、接続口部を第１の口部に内嵌したときにフランジ部の基端側周縁に軸方向に係合するものであってよい。これによれば、第１容器の口部に接続口部を接続したとき、該接続口部の外周に設けた係止片によって第１の口部が抱持されるため、混合操作完了後に第１容器を第２容器から離反させると、第１容器と共にキャップも第２容器から離反させることができる。したがって、混合後の後工程の操作を簡素化することができ、混合から使用までの時間も短縮することができる。
【００１８】
また、上記本発明の用時混合容器セットにおいて、第１キャップ構成体は、第２の口部の外周側に装着される第１筒部と、該第１筒部に連設された第２筒部とを備え、該第２筒部の内径は第２の口部の内径よりも小さくなされており、第２キャップ構成体は第２筒部の基端部に内嵌されるプラグを備え、該プラグは、前記第２キャップ構成体が第１位置にあるとき前記プラグにより前記連通路を閉塞し、かつ、第２キャップ構成体が第２位置にあるとき前記連通路を形成するように構成することもできる。さらに、第１キャップ構成体は、第２筒部の先端側に連設された第３筒部をさらに備え、第２キャップ構成体の接続口部は第１の口部に内嵌されるものであり、第２キャップ構成体は、接続口部の基端部から径方向外方に向けて形成されたフランジ部をさらに備え、該フランジ部は前記第３筒部に内嵌され、第３筒部の内周面には、第２キャップ構成体が第１位置から第２位置へ移動することを防止するように前記フランジ部に軸方向に係合する係合凸部が設けられるとともに、第３筒部は、係合凸部とフランジ部との前記係合が解除されるように径方向外方へ弾性変形可能であってよい。
【００１９】
上記した本発明の用時混合容器セットによれば、次の用時混合方法を容易に実施することが可能である。かかる本発明の用時混合方法は、（１）第１容器内に固体成分を密封収容しておくとともに、第１容器とは独立した第２容器内に、前記固体成分の溶媒乃至分散媒となる液体成分を密封収容しておき、（２）用時において第１容器を開封する一方第２容器の密封収容状態を保持したまま、開封した第１容器の口部に第２容器を連結し、この連結部分の内部に第１容器の内部空間と第２容器の内部空間とを連通させる連通路を開成し、該連通路を介して第１成分と第２成分とを混合させて該混合液剤を第２容器内に収容し、（３）前記混合後に、第２容器から第１容器を取り外し、第２容器に、第２容器内の液体を吐出するための吐出装置を装着することで、第２容器内の前記混合液剤を吐出可能として、前記混合前においては液体成分用容器として用いた第２容器を混合液剤の吐出容器として用いることを特徴とするものである。これによれば、用時混合前の保管や輸送時等においては、セットを構成する容器が２つであるので、スプレー容器を別途設ける場合に比して梱包材が大きくなりすぎることがなく、取扱いの容易化とコスト低減を図ることが可能となる。また、用時混合前においては液体成分用の収容容器として用いた第２容器を、用時混合後は混合液剤の吐出装置として流用しているので、構成要素の削減によるコスト低減と、廃棄量の低減とを図ることができ、環境性の向上をも図ることが可能となる。
【００２０】
上記本発明方法において、より好ましくは、第１容器を、ガラス等のガスバリア性に優れた材質からなる瓶体（例えば、従来公知のバイアル瓶など）によって構成することができる。これによれば、瓶体内で凍結乾燥させることにより該瓶体内に無菌状態で固体成分を収容でき、特に、不安定な凍結乾燥製剤を硝子容器によって安定的に保存可能となる。
【００２１】
なお、第１容器の第１の口部に装着された栓体を確実に保持するために、第１の口部にさらに蓋部材（例えば、特開平９−２７８０５１号公報に開示したロック機構付き環状蓋など）を装着することが可能である。この蓋部材は、円盤状の天板部の周縁に複数の係止舌片を周方向に配設してなる係止部材と、該係止部材の複数の係止舌片の外周側に装着される円筒状のホルダー部材とを備えることができ、前記各係止舌片は、天板部周縁から下方に延設させて、その下端側が径方向に拡縮するように弾性変形可能とすることができる。係止部材の上端とホルダー部材の下端とを、破断可能な連結部を介して一体成形することができ、この蓋部材の使用時に、ホルダー部材を係止部材に対して下方に押し込むことによって連結部を破断して、ホルダー部材を複数の係止舌片の外周に装着させ、該ホルダー部材によって複数の係止舌片を径方向内方に変形させて、この係止舌片を第１の口部外周に係止させることができる。好ましくは、ホルダー部材の内周面と係止舌片の外周面とに、ホルダー部材が係止舌片の外周に装着されたときに互いに係止する係止部（凹部若しくは凸部など）をそれぞれ設けることで、ホルダー部材が不慮に外れてしまうことを防止できる。また、ホルダー部材の内周面と係止舌片の外周面とに、互いに螺合するネジ部を形成して、ホルダー部材を複数の係止舌片に螺着することも可能である。これによれば、不慮にホルダー部材が外れてしまうことを防止できるとともに、ホルダー部材によって係止舌片を径方向内方に強く押し付けていても、ホルダー部材の回転操作によってホルダー部材を比較的軽い力で係止部材から離脱させることが可能となる。また、係止部材外周に装着されているホルダー部材を引き上げたときに、係止部材の上端近傍の外周縁に係止する係止部を、ホルダー部材の下端近傍の内周に設けることもでき、これによれば、ホルダー部材の引き抜きとともに係止部材を口部から取り外すことが可能となる。この蓋部材は、ガラス製バイアル瓶の口部に装着されたブチルゴム製などの栓体の保持、並びに、気密性の確実性の向上等のために好適に使用することができ、本発明の用時混合容器セット以外にも適宜流用できるものである。
【００２２】
【発明の実施の形態】
以下、本発明の好ましい実施の形態を図面に基づいて説明する。
【００２３】
図１〜図３は本発明の第１の実施形態に係る用時混合容器セットを示しており、該用時混合容器セットは、凍結乾燥製剤からなる固体成分を収容するためのバイアル瓶１（第１容器）と、固体成分の溶媒乃至分散媒となる液体成分を収容するための樹脂製ボトル２（第２容器）とにより主構成されている。なお、上記液体成分自体が有効成分を含有していてもよい。このセットは、例えば、用時溶解式の点鼻剤ポンプスプレー容器として好適に用いることができ、その他、適宜の用途に使用できる。
【００２４】
バイアル瓶１はガラス製であって、有底円筒状の胴部３の上端に円筒状の口部４（第１の口部）を一体に備えるものである。この口部４には、ブチルゴムなどのゴム製の栓体５が液密状に嵌め込まれるとともに、栓体５が不慮に離脱することを防止するとともに気密性を向上するための蓋部材６（ゴム栓押さえ）が被冠されている。また、口部４の上端部には径方向外方に突出するフランジ部７が設けられており、上記蓋部材６は、このフランジ部７に係止することで口部４に取り付けられる。なお、フランジ部７は、口部４の軸方向中途部に設けてもよい。このように、フランジ部７を軸方向中途部に設ければ、バイアル瓶１の口上面構造が２段となり、フランジ部７と栓体５の鍔部９との間に隙間ができるので、この隙間に指先を差し込んで、栓体５を容易に抜き取れるようになる。
【００２５】
栓体５は、口部４内に嵌入する密栓部８と、口部４の口上面に接触する鍔部９とを一体に備えている。鍔部９の外径は、口部４のフランジ部７の外径とほぼ同一となされている。密栓部８の側部には、その下端部から上方に延びる凹部１０が形成されており、この凹部１０上端が口部４上端よりも上方に位置している半打栓状態においては、栓体５と口部４との間に凹部１０による通気路が形成されるようになっている。一方、鍔部９が口部４の口上面に接触するまで栓体５を口部４に嵌め込んだ全打栓状態においては、凹部１０上端は口部４上端よりも容器内方（下方）に位置して、口部４を気密状に密封し得るようになっている。
【００２６】
蓋部材６は、円盤状の天板部１１の周縁に複数の係止舌片１２を周方向に配設してなる係止部材１３と、該係止部材１３の複数の係止舌片１２の外周側に装着される円筒状のホルダー部材１４とを備えている。これら係止部材１３とホルダー部材１４とは、製造時において容易に破断可能な細い連結部を介して一体成形することができ、バイアル瓶１への凍結乾燥製剤の充填後のキャッピング時にホルダー部材１４の押し込み操作によって連結部を破断して、両者を別体とすることができる。なお、蓋部材６は、焼却廃棄可能な樹脂製とすることが好ましい。
【００２７】
図示実施例では、８つの係止舌片１２が口部４を包囲するように周方向に均等配置され、隣接する２つの係止舌片１２の間にはスリットが形成されている。各係止舌片１２は、上下方向に長尺状に構成され、天板部１１周縁から下方に延設されており、その下端側が径方向に拡縮するように弾性変形可能であり、非変形状態では下端側が上端側よりも径方向外方に拡がるように形成されている。係止舌片の内周面には、口部４のフランジ部７に軸方向に係止可能な係止凸部１５が設けられている。係止舌片１２の下端には、径方向外方に突出する張出部１６が設けられている。
【００２８】
ホルダー部材１４は、天板部１１の外径とほぼ一致する内径を有する円筒からなり、該ホルダー部材１４の上端には径方向外方に突出するフランジ部１７が設けられている。このホルダー部材１４の軸長は、上記係止部材１３の軸長とほぼ等しくなされている。
【００２９】
上記バイアル瓶１に凍結乾燥製剤（固体成分）を無菌状態で密封収容するには、まず、滅菌処理されたバイアル瓶１内に無菌室内で薬液を充填する。次に、栓体５をバイアル瓶１の口部４に半打栓し、凍結乾燥装置内で薬液の液体成分を蒸発させ、該蒸気を凹部１０による通気路を介して瓶外部へ排出する。次に、栓体５を完全に口部４内に打栓して、凍結乾燥製剤をバイアル瓶１の内部空間に気密状に密封収容する。次に、蓋部材６の係止部材１３を、栓体５並びに口部４に被冠して、ホルダー部材１４を下方に強く押し込むと、連結部１５が破断してホルダー部材１４が係止部材１３の外周側に装着され、該ホルダー部材１４によって係止舌片１２が径方向内方に弾性変形されて、この係止舌片１２の係止凸部１５が、口部４のフランジ部７に係止する。かかる蓋部材６の装着状態では、ホルダー部材１４が係止部材１３から離脱されない限り、蓋部材６によって栓体５を確実に保持できる。
【００３０】
上記ボトル２は、有底円筒状の胴部２１の上端に円筒状の口部２２が一体成形されている。ボトル２の下部には有底円筒状の台座２３が装着されている。ボトル２は、軸方向中央の胴部２１が径方向外方に膨出形成されるとともに、軸方向中央から底部側に移行するにしたがって徐々に小径となるように形成されている。ボトル２の上端の口部２２は、上方に向けて開口する円筒状であって、その外周面には、後述するポンプスプレー装置を螺着するためのねじ部２２ａが形成されているとともに該ねじ部２２ａの下側（基端側）に位置して径方向外方に突出するフランジ２２ｂが一体成形されている。
【００３１】
このボトル２の口部２２には、円筒状の第１キャップ構成体３１と円筒状の第２キャップ構成体３２とにより主構成されるキャップ３０が装着されており、液体成分を充填したボトル２の輸送時や保管時等においてはキャップ３０によって口部２２を気密状かつ液密状に密封する一方、用時においてはキャップ３０をバイアル瓶１との接続アダプタとして用いて容易に２剤混合作業を行えるようにしている。
【００３２】
第１キャップ構成体３１は、ボトル口部２２の口上面に接触するリング状の基部３１ａと、該基部３１ａから軸方向内方に延設され且つボトル口部２２に液密状に内嵌する円筒状のシール筒部３１ｂとを備えており、これによりボトル口部２２に液密状に装着されている。また、第１キャップ構成体３１は、基部３１ａの外周縁から軸方向内方（下方）に延設された複数の係止片３１ｃ（係止部）を備えている。この複数の係止片３１ｃは周方向に離間してほぼ均等配置されており、各係止片３１ｃの下端側が径方向外方に拡がるように変形自在に構成されている。各係止片３１ｃの下端部近傍の内面には、ボトル口部２２のフランジ２２ｂの下面側に係合する係合突部４０が設けられており、これにより係止片３１ｃはボトル口部２２に対する軸方向移動を阻止するようにボトル口部２２に係脱自在に係合可能とされている。さらに、各係止片３１ｃの下端部外周面には案内係止部３１ｄが折り返し状に設けられている。
【００３３】
また、第１キャップ構成体３１は、基部３１ａの内周縁から軸方向外方（上方）に延設された円筒状の内筒部３１ｅと、該内筒部３１ｅの先端部に一体的に設けられたロッド３１ｆと、該ロッド３１ｆに嵌着することで内筒部３１ｅの先端に固定されたプラグ３１ｇとを備えている。本実施例では、第１キャップ構成体３１の構成要素中、プラグ３１ｇのみが別体に成形され、他の構成要素は射出成形等によって一体成形されている。プラグ３１ｇの外径はバイアル瓶１の口部４の内径よりも小径とされている。また、プラグ３１ｇ及びロッド３１ｆと、内筒部３１ｅとの間には開口部４１が形成されていて、ボトル２内の液体成分がプラグ３１ｇの外周側に自由に流入し得るようになっている。
【００３４】
一方、第２キャップ構成体３２は、第１キャップ構成体３１に液密状に嵌合しているとともに、バイアル瓶１の口部４に液密状に接続可能な円筒状の接続口部３２ａを有している。第２キャップ構成体３２は、第１及び第２キャップ構成体３１，３２によりボトル２の内部空間を外気から密封する第１位置（図１参照）から、第１位置よりもボトル２の軸方向内方に位置する第２位置に向けて第１キャップ構成体に対して相対的に移動可能であって、第２キャップ構成体３２が第２位置にあるとき、第２キャップ構成体３２の接続口部３２ａに接続されたバイアル瓶１の内部空間とボトル２の内部空間とを連通させる連通路がキャップ３０内に形成されるようになっている。
【００３５】
より詳細には、第２キャップ構成体３２は、接続口部３２ａの基端部から径方向外方に延設されたフランジ部３２ｂと、接続口部３２ａの径方向外方に位置し且つフランジ部３２ｂから軸方向先端側（外方）に向けて延設された周方向に複数の係止片３２ｃと、フランジ部３２ｂから軸方向基端側（内方）に向けて延設された円筒状の解除部３２ｄと、フランジ部３２ｂの外周縁から軸方向基端側に向けて延設された円筒状の本体部３２ｅとを備えている。上記係止片３２ｃの先端部近傍の内面には係止凸部４２が設けられており、接続口部３２ａをバイアル瓶１の口部４に内嵌・接続したときに、係止凸部４２が、バイアル瓶１のフランジ部７の基端側周縁に軸方向に係合することで、第２キャップ構成体３２によりバイアル瓶１の口部４をチャックし得るようになっている。
【００３６】
また、第２キャップ構成体３２の本体部３２ｅの内周面には、第２キャップ構成体３２が第１位置にあるときに第１キャップ構成体３１の係止片３１ｃがボトル口部２２のフランジ部２２ｂに係合するように係止片３２ｃを外面側から強制的に押さえ付けるロック部３２ｆが膨出形成されており、これにより第１キャップ構成体をボトル口部２２に離脱不能に係合させることができる。上記解除部３２ｄは、第２キャップ構成体３２が第１位置にあるときには、第１キャップ構成体３１の案内係止部３１ｄに対して軸方向に離間しているとともに、該解除部３２ｄの先端部と案内係止部３１ｄとは軸方向に対向配置されている。そして、第２キャップ構成体３２を第２位置に移動させると、解除部３２ｄの先端部が案内係止部３１ｄに係合して、第１キャップ構成体３１の係止片３１ｃとボトル口部２２のフランジ部２２ｂとの係合を解除させる方向（即ち、径方向外方）に該係止片３１ｃを移動させ、第１キャップ構成体３１のボトル口部２２に対する係合を解除させるようになっている。かかる係合解除を円滑に行わせるために、解除部３２ｄの先端部並びに案内係止部３１ｄの相互の接触面はテーパー状に形成されている。
【００３７】
また、プラグ３１ｇの周辺構造をより詳細に説明すると、接続口部３２ａの先端部は先窄まり状に縮径され、第２キャップ構成体３２が第１位置にあるときは、プラグ３１ｇの外周縁は、接続口部３２ａの先端面に係合しているとともに、プラグ３１によって接続口部３２ａの先端開口が液密状且つ気密状に密封されており、これによって連通路が閉じられるようにしている。接続口部３２ａをバイアル瓶１の口部４に内嵌して第２キャップ構成体３２を第２位置に移動させると、プラグ３１ｇが接続口部３２ａから軸方向に離間してバイアル瓶１の口部４内に入り込む形となり、これにより上記連通路が形成されるようになっている。
【００３８】
また、本実施例では、ボトル胴部２１に、第２キャップ構成体３２が第１位置から第２位置へ移動することを規制するように第２キャップ構成体３２の本体部３２ｅの下端面に当接するストッパー４４を取り外し可能に装着している。図示例においては、ボトル胴部２１に設けた段部２１ａと、第２キャップ構成体３２の下端部との間にストッパー４４を介装することによってその移動を規制している。
【００３９】
なお、図示例においては、上記キャップ３０にさらに外キャップ４５が螺着されており、この外キャップ４５によって特にプラグ３１ｇ周辺が汚染されることを防止している。このような外キャップ４５に代えて、アルミ箔などによりキャップ３０を包装することも可能である。
【００４０】
次に、図３を参照して上記用時混合容器セットの混合工程を説明する。
【００４１】
工程（ａ）は製品の納入形態、即ち、輸送時や保管時の状態を示している。使用する際には、まず、工程（ｂ）に示すようにバイアル瓶１の口部４から蓋部材６並びに栓体５を取り外すとともに、ボトル２の外キャップ４５を取り外す。次に、工程（ｃ）〜（ｄ）に示すようにボトル２を上下反転して、接続口部３２ａをバイアル瓶１の口部４内に押し込み、両容器１，２を接続する。このとき、ストッパー４４によって第２キャップ構成体３２の第２位置への移動が阻止されているので、接続完了前に接続口部３２ａの先端が開口して液漏れを生じさせることもない。
【００４２】
次に、ストッパー４４を取り外してボトル２をさらに押し込むと、工程（ｅ）〜（ｆ）に示すように、第２キャップ構成体３２が第１キャップ構成体３１に対して相対的に軸方向に移動して、プラグ３１ｇが接続口部３２ａから離脱され、キャップ３０内に、バイアル瓶１の内部空間とボトル２の内部空間とを連通させる連通路が形成され、ボトル２内の液体成分が連通路を介してバイアル瓶１内に流入する。また、このとき、第２キャップ構成体３２の解除部３２ｄが、第１キャップ構成体３１の係止片３１ｃの案内係止部３１ｄに係合して、該係止片３１ｃを径方向外方に拡径させて、係止片３１ｃとボトル口部２２との係合が解除される。
【００４３】
十分に固体成分と液体成分との混合を行った後、工程（ｇ）に示すように全体を上下反転させてボトル２を下方側に且つバイアル瓶１を上方側に位置させると、混合液剤がすべてボトル２内に流入する。そして、工程（ｈ）に示すようにバイアル瓶１をボトル２から引き離すと、上記したようにキャップ３０とボトル口部２２との係合がすでに解除されているため、バイアル瓶１とともにキャップ３０がボトル２から離脱される。そして、工程（ｉ）に示すように、別途用意しておいたポンプスプレー装置などの吐出装置５０をボトル口部２２に装着することによって、混合前は液体成分用容器として用いたボトル２を吐出容器として用いることが可能となる。
【００４４】
なお、ポンプスプレー装置５０は、口部２２に螺着される円筒状キャップ部材と、ボトル２の内部空間に収容された液体を、該内部空間の底部側から吸い上げるための吸い上げ管と、該吸い上げ管を介して液体を吸い上げるための吸引力を生じさせるポンプ部と、吸い上げた液体を外部に噴霧するためのスプレー部とを備えている。吸い上げ管とポンプ部とスプレー部とは、軸方向に連設されており、また、ポンプ部は、キャップ部材に取付保持されている。吸い上げ管は、ボトルの軸中央部に配置され、ボトルのほぼ全長にわたって軸方向に延設される。
【００４５】
また、上記した各構成部材は適宜の材質によって構成することができるが、好ましくは、ゴム栓はブチルゴム製、バイアル瓶はガラス製、プラグは低密度ポリエチレン製、バイアル瓶の蓋部材はポリプロピレン製、ボトルは高密度ポリエチレン製とし、他の構成部材は、ポリプロピレン若しくは高密度ポリエチレン製とするのがよい。
【００４６】
図４及び図５は本発明の第２実施形態に係る用時混合容器セットを示しており、特に耳鼻科用の用時溶解容器として好適に使用できるものである。以下、上記第１実施形態と同様の構成については同符号を付して詳細説明を省略し、異なる構成、作用効果について説明する。
【００４７】
バイアル瓶１のゴム栓５としては従来公知のものを用いており、ゴム栓５を口部４に嵌着した後、バイアル瓶１全体にアルミ包装を施している。
【００４８】
第１キャップ構成体３１は、上記係止片が設けられておらず、ボトル口部２２の外周に螺着される構成としている。また、プラグ３１ｇをも他の構成要素とともに一体成形しており、プラグ３１ｇと内筒部３１ｅとは周方向に離間して複数設けられた接続リブ３１ｈを介して一体的に接続され、複数の接続リブ３１ｈの間が開口部４１となされている。このプラグ３１ｇは接続口部３２ａの内周側に嵌合しているのみで、第２キャップ構成体３２が離脱することを阻止するように接続口部３２ａの先端面に係合してはいない。本実施例では、第２キャップ構成体３２の本体部３２ｅを第１キャップ構成体に外嵌するとともに、この嵌合部位にアンダーカット部４６を設けることによって、第２キャップ構成体３２が不慮に第２キャップ構成体３１から離脱してしまうことを防止している。
【００４９】
また、上記第１実施形態における解除部３２ｄ、案内係止部３１ｄ、ロック部３２ｆも本第２実施形態では設けられておらず、第２キャップ構成体３２を第２位置に移動させても自動的には第１キャップ構成体とボトル口部２２との係合（螺合）が解除されないようになっている。したがって、２液混合した後工程において、キャップ３０をボトル口部２２から取り外すためには、バイアル瓶１とボトル２とを相対的に回転操作する。この際、第１キャップ構成体３１に対して第２キャップ構成体３２が空回りすることを防止するために、第２位置にある第２キャップ構成体３２と第１キャップ構成体３１とを回転操作方向に係合させる係合部を適宜の部位、例えば、第２キャップ構成体３２の本体部３２ｅの下端部などに設けるのが好ましい。なお、本実施形態の吐出装置５０は、吐出ノズルが用いられている。
【００５０】
本実施形態における用時混合工程も、上記第１実施形態とほぼ同様であるので、図５を参照して詳細説明を省略する。
【００５１】
図６及び図７は本発明の第３実施形態に係る用時混合容器セットを示しており、上記第２実施形態とはボトル形状が異なるのみで他の点は共通であるので、同符号を付して詳細説明を省略する。なお、本実施形態は、特に点眼容器として好適に用いることができるものである。
【００５２】
図８〜図１０は本発明の第４実施形態に係る用時混合容器セットを示しており、特に用時溶解型点鼻容器として好適に用いることができるものである。バイアル瓶１並びにその栓構造、及び、ボトル２については上記第１実施形態と同様であるので、同符号を付して詳細説明を省略し、異なる構成、作用効果について説明する。
【００５３】
本実施形態のボトル２の口部２２には、円筒状の第１キャップ構成体５１と円筒状の第２キャップ構成体５２とにより主構成されるキャップ５０が装着されており、液体成分を充填したボトル２の輸送時や保管時等においてはキャップ５０によって口部２２を気密状かつ液密状に密封する一方、用時においてはキャップ５０をバイアル瓶１との接続アダプタとして用いて容易かつ確実に２剤混合作業を行えるようにしている。
【００５４】
第１キャップ構成体５１は、ボトル口部２２の外周側に螺着される円筒状の第１筒部５１ａと、該第１筒部５１ａに連設された円筒状の第２筒部５１ｂと、第２筒部５１ｂの軸方向先端側に連設された円筒状の第３筒部５１ｃと、該第３筒部５１ｃの軸方向先端側に連設された略カップ状のホルダー部５１ｄとにより主構成されている。第１筒部５１ａの内周面にはボトル口部外周のねじ部２２ａに螺合するねじ部が設けられている。第２筒部５１ｂの内径及び外径はボトル口部２２の内径よりも小径となされており、図示例においては第２筒部５１ｂの基端部はボトル口部２２内に突入されている。第１筒部５１ａと第２筒部５１ｂとはフランジ部５１ｅを介して一体的に接続されており、このフランジ部５１ｅの下面は、ボトル口部２２の口上面に対向している。第１キャップ構成体５１とボトル口部２２との間の液密性並びに気密性を確保するために、フランジ部５１ｅとボトル口部２２との間にゴムパッキン５３が介装されている。
【００５５】
第３筒部５１ｃは、バイアル瓶１の口部４に外嵌可能に構成されているとともに、第３筒部５１ｃを口部４に外嵌したときに、口部４のフランジ部７の基端部に軸方向に係合する係合凸部５４が第３筒部５１ｃの内周面に設けられている。また、第３筒部５１ｃのバイアル瓶口部４への外嵌を円滑に行わせるために、第３筒部５１ｃには、図８及び図９に示すようにスリット５５が形成され、第３筒部５１ｃの周方向所定部位が径方向外方に弾性変形し得るようになっている。上記ホルダー部５１ｄは、バイアル瓶１の肩部並びに胴部形状に適合する形状となされ、第３筒部５１ｃを口部４に外嵌したときに、ホルダー部５１ｄの内周面によりバイアル瓶１の上部側の外周面を保持し得るようになっている。
【００５６】
第２キャップ構成体５２は、バイアル瓶１の口部４に液密状かつ気密状に内嵌される円筒状の接続口部５２ａと、該接続口部５２ａに連設され且つ前記第２筒部５１ｂに軸方向摺動可能に内嵌される円筒状のジョイント部５２ｂと、上記第２筒部５１ｂの軸方向基端部に内嵌される有底円筒状のプラグ５２ｃと、接続口部５２ａの軸方向基端部から径方向外方に向けて形成されたフランジ部５２ｄとにより主構成されている。これら構成要素のうち、プラグ５２ｃのみが別体に構成されており、他の構成要素は一体成形されている。また、プラグ５２ｃの先端部とジョイント部５２ｂの基端部とは当接されている。なお、プラグ５２ｃをジョイント部５２ｂに一体成形することも可能である。また、フランジ部５２ｄや接続口部５２ａを別部材構成として適宜組み合わせることも可能である。
【００５７】
第２キャップ構成体５２は、第１及び第２キャップ構成体５１，５２によりボトル２の内部空間を外気から密封する第１位置（図８参照）から、第１位置よりもボトル２の軸方向内方に位置する第２位置（図１０（ｄ）参照）に向けて第１キャップ構成体５１に対して相対的に移動可能であって、第２キャップ構成体５２が第２位置にあるとき、第２キャップ構成体５２の接続口部５２ａに接続されたバイアル瓶１の内部空間とボトル２の内部空間とを連通させる連通路がキャップ５０内に形成されるようになっている。
【００５８】
即ち、プラグ５２ｃの周壁にはその内外に貫通する開口部５６が設けられており、第２キャップ構成体５２が第２位置に移動すると、プラグ５２ｃの開口部５６が第２筒部５１ｂの基端部よりも下方に露呈して、上記連通路が開成されるようになっている。一方、第２キャップ構成体５２が第１位置にあるときは、プラグ５２ｃの開口部５６は第２筒部５１ｂの下端部よりも上方に収納された状態であり、このプラグ５２ｃにより上記連通路を閉塞し得るようになっている。
【００５９】
また、第２キャップ構成体５２のフランジ部５２ｄは、第１キャップ構成体５１の第３筒部５１ｃに内嵌されている。そして、第２キャップ構成体５２が第１位置にあるとき、フランジ部５２ｄは上記係合凸部５４に軸方向に係合することで、第２キャップ構成体５２の第２位置への移動が防止されている。上記したように、第３筒部５１ｃの周方向所定部位は径方向外方へ弾性変形可能であるため、接続口部５２ａに接続したバイアル瓶１を強く押し込むと、フランジ部５２ｄによって第３筒部５１ｃが強制的に径方向外方へ押し拡げられ、フランジ部５２ｄと係合凸部５４との係合が解除されるので、第２位置への相対移動が可能となる。
【００６０】
なお、上記ホルダー部５１ｄの先端部には、カバーキャップ４５が装着されており、第１キャップ構成体５１や第２キャップ構成体５２の内面が汚染されることを防止している。
【００６１】
次に、図１０を参照して上記用時混合容器セットの混合工程を説明する。
【００６２】
工程（ａ）は製品の納入形態、即ち、輸送時や保管時の状態を示している。使用する際には、まず、工程（ｂ）に示すようにバイアル瓶１の口部４から蓋部材６並びに栓体５を取り外すとともに、ボトル２のカバーキャップ４５を取り外す。次に、工程（ｃ）に示すようにボトル２を上下反転して、接続口部５２ａをバイアル瓶１の口部４内に押し込み、両容器１，２を接続する。次に、ボトル２をさらに押し込むと、工程（ｄ）〜（ｅ）に示すように、第２キャップ構成体５２が第１キャップ構成体５１に対して相対的に軸方向に移動して、プラグ５２ｃの開口部５６がボトル内部空間に露呈して、キャップ５０内に、バイアル瓶１の内部空間とボトル２の内部空間とを連通させる連通路が形成され、ボトル２内の液体成分が連通路を介してバイアル瓶１内に流入する。
【００６３】
十分に固体成分と液体成分との混合を行った後、工程（ｆ）に示すように全体を上下反転させてボトル２を下方側に且つバイアル瓶１を上方側に位置させると、混合液剤がすべてボトル２内に流入する。そして、工程（ｇ）に示すように、ホルダー部５１ｄを把持して第１キャップ構成体５１全体を回転操作することでボトル口部２２からキャップ５０をバイアル瓶１とともに取り外す。なお、工程（ｄ）から工程（ｇ）までの作業はホルダー部５１ｄを把持して行うことができ、一連の操作の簡略化と迅速化を図ることができる。
【００６４】
そして、工程（ｈ）に示すように、別途用意しておいたポンプスプレー装置などの吐出装置５０をボトル口部２２に装着することによって、混合前は液体成分用容器として用いたボトル２を吐出容器として用いることが可能となる。
【００６５】
【発明の効果】
本発明によれば、用時において第１容器と第２容器とを接続して固体成分と液体成分とを混合する際に、液体成分を零すことがなく、定められた混合比率で確実に混合液剤を生成することが可能であるとともに、衛生的に取り扱うことが可能となる。また、混合作業を行った後、混合液を第２容器内に収容し、この容器に吐出装置を装着して、スプレー容器などの吐出容器として流用することができ、梱包の小型化、廃棄物の削減を図りつつも用時混合を的確に行うことができる。
【図面の簡単な説明】
【図１】本発明の第１実施形態に係る用時混合容器セットを示す縦断面図であり、特に、（ａ）は溶解液容器並びにスプレー容器兼用の樹脂ボトルを示し、（ｂ）はバイアル瓶を示す。
【図２】同用時混合容器セットの樹脂ボトルの正面図である。
【図３】同用時混合容器セットの用時混合工程を示す工程図である。
【図４】本発明の第２実施形態に係る用時混合容器セットを示す縦断面図であり、特に、（ａ）は吐出装置である吐出ノズルを示し、（ｂ）はバイアル瓶を示し、（ｃ）は溶解液容器並びに耳鼻科用薬液容器兼用の樹脂ボトルを示す。
【図５】同用時混合容器セットの用時混合工程を示す工程図である。
【図６】本発明の第３実施形態に係る用時混合容器セットを示す縦断面図であり、特に、（ａ）は吐出装置である吐出ノズルを示し、（ｂ）はバイアル瓶を示し、（ｃ）は溶解液容器並びに点眼用薬液吐出容器兼用の樹脂ボトルを示す。
【図７】同用時混合容器セットの用時混合工程を示す工程図である。
【図８】本発明の第４実施形態に係る用時混合容器セットを示す縦断面図であり、特に、（ａ）は溶解液容器並びにスプレー容器兼用の樹脂ボトルを示し、（ｂ）はバイアル瓶を示す。
【図９】同用時混合容器セットの樹脂ボトルの正面図である。
【図１０】同用時混合容器セットの用時混合工程を示す工程図である。
【符号の説明】
１　バイアル瓶（第１容器）
２　ボトル（第２容器）
４　バイアル瓶の口部（第１の口部）
５　栓体
２２　ボトル口部（第２の口部）
３０　キャップ
３１　第１キャップ構成体
３１ｃ　係止片（係止部）
３１ｅ　内筒部
３１ｇ　プラグ
３１ｈ　接続リブ
３２　第２キャップ構成体
３２ｃ　係止片
３２ｄ　解除部
３２ｆ　ロック部
４１　開口部
４４　ストッパー
５０　キャップ
５１　第１キャップ構成体
５１ａ　第１筒部
５１ｂ　第２筒部
５１ｃ　第３筒部
５２　第２キャップ構成体
５２ｃ　プラグ
５２ｄ　フランジ部
５４　係合凸部
【図１】
2004018019.tif 000003
【図２】
2004018019.tif 000004
【図３】
2004018019.tif 000005
【図４】
2004018019.tif 000006
【図５】
2004018019.tif 000007
【図６】
2004018019.tif 000008
【図７】
2004018019.tif 000009
【図８】
2004018019.tif 000010
【図９】
2004018019.tif 000011
【図１０】
2004018019.tif 000012